(57)【要約】【課題】室内レイアウト等に制約を受けずに効率よく蓄熱を利用できる太陽熱利用蓄熱天井構造を提供する。【解決手段】壁２４ａに太陽熱を集熱して空気を昇温する集熱装置３０と、通気口３１と、送風機３２ａとが設けられ、集熱装置３０に外気を取り入れる外気取入口３０ｄが設けられ、建物２１の天井裏に送り込まれた空気を通気口３１から建物２１内に取り込む二重天井空間２８が設けられ、二重天井空間２８と居室２５，２６とを隔てる天井壁２７に熱を蓄える蓄熱材が用いられ、外気取入口３０ｄから取り入れられた空気を集熱装置３０によって昇温し、送風機３２ａによって、通気口３１を介して、二重天井空間２８内に取り込み、昇温された空気の熱を蓄熱材に蓄えて、蓄熱材に蓄えられた熱によって居室２５，２６の空気を昇温する。【選択図】図１
2007127294.tif 000002
【特許請求の範囲】
【請求項１】
建物の外壁の外側面に太陽熱を集熱して空気を昇温する集熱装置が設けられ、該集熱装置に空気を取り入れる空気取入手段が設けられ、前記外壁に前記集熱装置によって昇温された空気を前記建物内に送り込む通気口が設けられ、該通気口に前記昇温された空気を前記建物内に引き込む送風機が設けられ、前記通気口から送り込まれた前記昇温された空気を取り込む二重天井空間が前記建物の天井裏に設けられ、該二重天井空間と部屋とを隔てる天井壁に熱を蓄える蓄熱材が用いられ、
前記空気取入手段から取り入れられた空気を前記集熱装置によって昇温し、前記送風機によって、前記通気口を介して、前記二重天井空間内に取り込み、前記昇温された空気の熱を前記蓄熱材に蓄えて、該蓄熱材に蓄えられた熱によって前記部屋の空気を昇温することを特徴とする太陽熱利用蓄熱天井構造。
【請求項２】
前記空気取入手段が外気を取り入れる外気取入口によって構成されることを特徴とする請求項１記載の太陽熱利用蓄熱天井構造。
【請求項３】
前記空気取入手段が前記部屋の内部の空気を取り入れる内気取入口と、該内気取入口に前記部屋の内部の空気を前記集熱装置に引き込む送風機とによって構成されることを特徴とする請求項１記載の太陽熱利用蓄熱天井構造。
【請求項４】
前記集熱装置が、前記外壁の外側面に熱を吸収する黒色塗装面と、該黒色塗装面を覆うように設けられた透明部材と、該透明部材と前記黒色塗装面との間に空気昇温層とを有してなることを特徴とする請求項１乃至３記載の太陽熱利用蓄熱天井構造。
【請求項５】
前記二重天井空間内に送り込まれた昇温された空気を前記部屋の内部に送り出す送風機が前記天井壁に設けられてなることを特徴とする請求項１乃至４記載の太陽熱利用蓄熱天井構造。
【請求項６】
前記部屋の内部に送り込まれた空気を室外に排出する送風機が該部屋の外壁に設けられてなることを特徴とする請求項５記載の太陽熱利用蓄熱天井構造。
【請求項７】
前記建物が少なくとも２以上の部屋と該部屋同士を間仕切る壁を有し、該壁に一方の部屋から他方の部屋へ室内の空気を送気する送風機と、前記他方の部屋から前記一方の部屋へ室内の空気を送気する送風機とを有してなることを特徴とする請求項１乃至６記載の太陽熱利用蓄熱天井構造。
【発明の詳細な説明】
【技術分野】
【０００１】
本願発明は、太陽熱を利用した建物の空調設備に関するものである。
【背景技術】
【０００２】
従来から図１に示すような太陽熱を利用した蓄熱空気循環住宅が知られている（例えば特許文献１等）。
【０００３】
図１は、この従来例を説明する概略断面図である。
【０００４】
図１において、１は蓄熱空気循環住宅としての建物であり、２は建物１の下床、３は建物１の屋根、４は建物１の南側の外壁、５は建物１の北側の外壁である。
【０００５】
建物１は南側に居室６と北側に居室７とを有していて、居室６，７の天井８と屋根３との間には屋根裏空間９が設けられている。
【０００６】
この屋根３の屋根裏空間９側には、屋根裏空間９の空気を保温するために断熱材１０が設けられている。
【０００７】
また、居室６，７の床１１と下床２との間には床通気層１２が設けられている。
【０００８】
壁１３は居室６と居室７とを隔てている壁であり、居室６の南側には内壁１４、居室７の北側には内壁１５が設けられている。
【０００９】
内壁１４，１５は蓄熱材料で構成され、特に、内壁１４の室外側の面には、太陽熱の吸熱性を高めるために黒色塗装が施されている。
【００１０】
外壁４と内壁１４との間には南側通気層１６が設けられ、外壁５と内壁１５との間には北側通気層１７が設けられている。
【００１１】
更に、南側の外壁４にはガラス板１８が設けられている。
【００１２】
このように構成された建物１では、冬場において、日中、南側からの日射がガラス板１８を通過して内壁１４の室外側に当たる。
【００１３】
この日射が内壁１４の蓄熱材を加熱し蓄熱すると共に南側通気層１６内の空気を昇温する。
【００１４】
そして、南側通気層１６内で昇温された空気は上昇し、屋根裏空間９を通って、北側通気層１７に流れ込み、蓄熱材料で構成された内壁１５を昇温して蓄熱する。
【００１５】
更に、内壁１５を昇温して冷えた空気は下降して床通気層１２に流れる。
【００１６】
このようにして、南側通気層１６で昇温された空気は、南側通気層１６→屋根裏空間９→北側通気層１７→床通気層１２→南側通気層１６のように循環する。
【００１７】
通常、よく日射が当たる南側の居室６と、あまり日射が当たらない北側の居室７とでは、室温差が大きいが、この蓄熱空気循環住宅では、南側通気層１６で昇温された空気の熱が居室６，７の周囲を循環するので、居室６と居室７との室温が均一化される。
【００１８】
また、昇温されて居室６，７の周囲を循環する空気の熱が蓄熱材料で構成された内壁１４，１５に蓄熱され、夜間において、この内壁１４，１５に蓄熱された熱が放射されて居室６，７の空気が暖められる。
【００１９】
暖房装置を用いて居室６，７を暖房する場合でも、この蓄熱が暖房装置による暖房を補助するので暖房効率が良い。
【特許文献１】特開平６−２１２７１３
【発明の開示】
【発明が解決しようとする課題】
【００２０】
しかしながら、従来例の蓄熱空気循環住宅１では、居室６，７を囲う内壁１４，１５に蓄熱材が設けられ、室内では、この内壁１４，１５から熱が放出されるので、この内壁１４，１５に沿って家具等を設置すると、熱の伝達が家具等によって阻害されて、熱の伝達が低下する虞がある。
【００２１】
このため蓄熱材が放出する熱を効率よく室内に伝達するためには、内壁１４，１５に沿わせて家具等を配置しないようにするなど、室内レイアウト等に制約が生じる虞があった。
【００２２】
そこで本願発明では、室内レイアウト等に制約を受けずに効率よく蓄熱を利用できる太陽熱利用蓄熱天井構造を提供することを課題としている。
【課題を解決するための手段】
【００２３】
上記目的を達成するために、請求項１に記載された発明は、建物の外壁の外側面に太陽熱を集熱して空気を昇温する集熱装置が設けられ、該集熱装置に空気を取り入れる空気取入手段が設けられ、前記外壁に前記集熱装置によって昇温された空気を前記建物内に送り込む通気口が設けられ、該通気口に前記昇温された空気を前記建物内に引き込む送風機が設けられ、前記通気口から送り込まれた前記昇温された空気を取り込む二重天井空間が前記建物の天井裏に設けられ、該二重天井空間と部屋とを隔てる天井壁に熱を蓄える蓄熱材が用いられ、
前記空気取入手段から取り入れられた空気を前記集熱装置によって昇温し、前記送風機によって、前記通気口を介して、前記二重天井空間内に取り込み、前記昇温された空気の熱を前記蓄熱材に蓄えて、該蓄熱材に蓄えられた熱によって前記部屋の空気を昇温する太陽熱利用蓄熱天井構造を特徴としている。
【００２４】
そして、請求項２に記載された発明は、前記空気取入手段が外気を取り入れる外気取入口によって構成される請求項１記載の太陽熱利用蓄熱天井構造を特徴としている。
【００２５】
また、請求項３に記載された発明は、前記空気取入手段が前記部屋の内部の空気を取り入れる内気取入口と、該内気取入口に前記部屋の内部の空気を前記集熱装置に引き込む送風機とによって構成される請求項１記載の太陽熱利用蓄熱天井構造を特徴としている。
【００２６】
更に、請求項４に記載された発明は、前記集熱装置が、前記外壁の外側面に熱を吸収する黒色塗装面と、該黒色塗装面を覆うように設けられた透明部材と、該透明部材と前記黒色塗装面との間に空気昇温層とを有してなる請求項１乃至３記載の太陽熱利用蓄熱天井構造を特徴としている。
【００２７】
そして、請求項５に記載された発明は、前記二重天井空間内に送り込まれた昇温された空気を前記部屋の内部に送り出す送風機が前記天井壁に設けられてなる請求項１乃至４記載の太陽熱利用蓄熱天井構造を特徴としている。
【００２８】
また、請求項６に記載された発明は、前記部屋の内部に送り込まれた空気を室外に排出する送風機が該部屋の外壁に設けられてなる請求項５記載の太陽熱利用蓄熱天井構造を特徴としている。
【００２９】
更に、請求項７に記載された発明は、前記建物が少なくとも２以上の部屋と該部屋同士を間仕切る壁を有し、該壁に一方の部屋から他方の部屋へ室内の空気を送気する送風機と、前記他方の部屋から前記一方の部屋へ室内の空気を送気する送風機とを有してなる請求項１乃至６記載の太陽熱利用蓄熱天井構造を特徴としている。
【発明の効果】
【００３０】
このように構成された本願発明の請求項１乃至３記載のものは、空気取入手段から取り入れられた空気を集熱装置によって昇温し、送風機によって、通気口を介して、二重天井空間内に取り込み、昇温された空気の熱を蓄熱材に蓄えて、蓄熱材に蓄えられた熱によって部屋の空気を昇温するので、
気温が低い際に、太陽熱を天井壁の蓄熱材に蓄熱して利用することで、建物の室温を昇温できるので、暖房機器に必要なエネルギーを最低限にすることができて、経済性や省エネルギー性が優れている。
【００３１】
しかも、送風機によって強制的に昇温された空気を二重天井空間内に送り込むので、熱を帯びた空気が停留することなく建物全体の二重天井空間に送り込まれ、日射が良く当たる部屋だけでなく、日射が良く当たらない他の部屋の天井壁にも十分に熱が蓄熱でき、部屋間の室温差を均一化することができる。
【００３２】
特に、本願発明の請求項３記載のものは、空気取入手段が部屋の内部の空気を取り入れる内気取入口と、内気取入口に部屋の内部の空気を集熱装置に引き込む送風機とによって構成されるので、室内の暖かい空気を昇温するので昇温効率が高い。
【００３３】
そして、本願発明の請求項４記載のものは、集熱装置が、外壁の外側面に熱を吸収する黒色塗装面と、黒色塗装面を覆うように設けられた透明部材と、透明部材と黒色塗装面との間に空気昇温層とを有しているので、
日射が透明部材を通って空気昇温層の空気を直接昇温すると共に黒色塗装面を加熱し、この黒色塗装面が太陽熱を吸収し、熱を再放射することで空気昇温層の空気が効率的に昇温される。
【００３４】
しかも、外壁の室外側に設置されるので集熱装置が居住スペースを占有することがない。
【００３５】
また、本願発明の請求項５記載のものは、二重天井空間内に送り込まれた昇温された空気を部屋の内部に送り出す送風機が天井壁に設けられるので、
部屋の室温が下がった際に、居住者が必要に応じて、二重天井空間内の昇温された空気を部屋の内部に取り込んで、部屋を暖めることができる。
【００３６】
特に、日中、天井壁の蓄熱材や二重天井空間の空気に熱を蓄えて、夜間気温が下がった際に、この熱を必要に応じて部屋の内部に取り込んで、部屋を暖めることができる。
【００３７】
更に、請求項１，３，５の送風機を併用すると、部屋の空気を、部屋→集熱装置→二重天井空間→部屋のように循環しながら昇温するので、建物内の空気を効率的に昇温できる。
【００３８】
そして、本願発明の請求項６記載のものは、部屋の内部に送り込まれた空気を室外に排出する送風機が部屋の外壁に設けられるので、
部屋の空気や蓄熱材を昇温した後の冷却された空気を室外へ排出することができて、建物の保温効率を高めることができる。
【００３９】
特に、請求項２の外気取入口と、請求項１，５，６の送風機とを併用することで、屋外の空気を、屋外→集熱装置→二重天井空間→屋外のようにスムーズに送気できて、集熱装置の熱を効率的に二重天井空間や二重天井空間と部屋を隔てる天井壁（蓄熱材）に輸送できる。
【００４０】
また、本願発明の請求項７記載のものは、建物が少なくとも２以上の部屋と部屋同士を間仕切る壁を有し、壁に一方の部屋から他方の部屋へ室内の空気を送気する送風機と、他方の部屋から一方の部屋へ室内の空気を送気する送風機とを有するので、
これらの送風機を稼動することで部屋同士の間で昇温された空気を循環させて、一方の部屋と他方の部屋との室温差を均一化することができる。
【発明を実施するための最良の形態】
【００４１】
以下、本願発明の太陽熱利用蓄熱天井構造に係る最良の実施の形態について図面に基づいて説明する。
【実施例１】
【００４２】
（構成）
図２は本願発明の太陽熱利用蓄熱天井構造を説明する概略断面図である。
【００４３】
図２において、２１は太陽熱利用蓄熱天井構造を有する建物であり、２２は建物２１の基礎、２３は建物２１の屋根、２４は建物２１の躯体である。
【００４４】
躯体２４は南側の壁２４ａと、北側の壁２４ｂと、躯体の天井２４ｃと、床２４ｄとを有している。
【００４５】
建物２１は南側に居室２５と北側に居室２６とを有していて、居室２５から望む天井壁２７ａと居室２６から望む天井壁２７ｂとで天井壁２７が構成されている。
【００４６】
そして、この天井壁２７と躯体の天井２４ｃとの間には二重天井空間２８が設けられている。
【００４７】
また、壁２９は居室２５と居室２６とを隔てている壁である。
【００４８】
南側の壁２４ａの外壁の外側面には黒色塗装が塗布された黒色塗装面３０ａが設けられ、この黒色塗装面３０ａの全面を覆うように集熱板３０ｂが設置されている。
【００４９】
集熱板３０ｂには、外側に透明ガラス板３０ｃが設けられ、下方に外気取入口３０ｄが設けられている。
【００５０】
これらの３０ａ〜３０ｄによって集熱装置３０が構成されている。
【００５１】
そして、集熱板３０ｂが壁２４ａの外側面に設置された際に、透明ガラス板３０ｃと壁２４ａの外側面との間に空気昇温層３０ｅが形成される。
【００５２】
更に、壁２４ａには、空気昇温層３０ｅの上端付近から二重天井空間２８に貫通する通気口３１が設けられ、この通気口３１に送風機３２ａが設けられる。
【００５３】
この送風機３２ａは空気昇温層３０ｅ内の空気を二重天井空間２８内に引き込む。
【００５４】
また、天井壁２７ａの壁２９寄りの位置に送風機３２ｂが設けられ、天井壁２７ｂの壁２４ｂ寄りの位置に送風機３２ｃが設けられている。
【００５５】
これらの送風機３２ｂ，３２ｃは二重天井空間２８内の空気を各々居室２５，２６に送り込む。
【００５６】
更に、壁２４ｂに送風機３２ｄが設けられている。
【００５７】
この送風機３２ｄは居室２６内の空気を室外に排気する。
（利用方法）
例えば、冬場の気温が低い日の日中において、南側の壁２４ａに設けられた集熱装置３０に日射が当たると空気昇温層３０ｅの空気が昇温される。
【００５８】
この状態で送風機３２ａを稼動すると、外気取入口３０ｄを介して集熱装置３０に外気が引き込まれ、空気昇温層３０ｅ内で昇温されて、二重天井空間２８に昇温された空気が送り込まれる。
【００５９】
このため、二重天井空間２８と接する天井壁２７（蓄熱材）に、この暖められた空気の熱が与えられ蓄熱される。
【００６０】
更に、送風機３２ｃ及び送風機３２ｄを同時に稼動すると、二重天井空間２８に送り込まれた昇温された空気が気流となって、二重天井空間２８を通って、送風機３２ｃを介して、居室２６に送り出され、居室２６の空気を昇温する。
【００６１】
そして、居室２６に送り出された空気と略等量の空気を送風機３２ｄによって室外に排出する。
【００６２】
従って、日中、昇温された空気が居室２６に流れ込むと共に、蓄熱された天井壁２７ｂの放射熱によって居室２６の空気が昇温される。
【００６３】
そして、例えば夕方以降に南側の壁２４ａに日射が当たらなくなった際に、送風機３２ａ，３２ｃ，３２ｄを停止する。
【００６４】
天井壁２７に蓄熱された熱は室内側に放射され、この熱によって居室２５，２６の空気が昇温され、例えば夜間において、気温の低下による居室２５，２６の室温の低下が抑制される。
【００６５】
また、居室２５の室温が下がった際に、送風機３２ｂを稼動すれば、蓄熱材の熱によって昇温された二重天井空間２８内の空気が居室２５に送り出されて、居室２５が暖められ、送風機３２ｃを稼動すれば、二重天井空間２８内の空気が居室２６に送り出されて、居室２６が暖められる。
（作用効果）
外気取入口３０ｄから取り入れられた空気を集熱装置３０によって昇温し、送風機３２ａによって、二重天井空間２８内に取り込み、昇温された空気の熱を天井壁２７（蓄熱材）に蓄えて、天井壁２７（蓄熱材）に蓄えられた熱によって居室２５，２６の空気を昇温するので、気温が低い際に、この熱を利用して居室２５，２６の室温を昇温できるので、暖房機器に必要なエネルギーを最低限にすることができて、経済性や省エネルギー性が優れている。
【００６６】
しかも、送風機３２ａによって強制的に昇温された空気を二重天井空間２８内に送り込むので、熱を帯びた空気が停留することなく建物２１全体の二重天井空間２８に送り込まれ、日射が良く当たる居室２５だけでなく、日射が良く当たらない居室２６の天井壁２７ｂにも十分に熱が蓄熱でき、居室２５と居室２６との室温差を均一化することができる。
【００６７】
そして、集熱装置３０が、熱を吸収しやすい黒色塗装面３０ａと、日射を良く通す透明部材３０ｃと、保温効果のある空気昇温層３０ｅとを有しているので、
日射が透明部材３０ｃを通って空気昇温層３０ｅの空気を直接昇温すると共に黒色塗装面３０ａを加熱し、この黒色塗装面３０ａが太陽熱を吸収し、熱を再放射することによって、空気昇温層３０ｅの空気が効率的に昇温される。
【００６８】
しかも、集熱装置３０は壁２４ａの室外側に設置されるので、居住スペースを占有することがない。
【００６９】
また、二重天井空間２８内に送り込まれた昇温された空気を居室２５，２６の内部に送り出す送風機３２ｂ，３２ｃが天井壁２７ａ，２７ｂに各々設けられるので、
居室２５，２６の室温が下がった際に、居住者が必要に応じて、二重天井空間２８内の昇温された空気を居室２５，２６の内部に取り込んで、居室２５，２６を暖めることができる。
【００７０】
そして、居室２６の内部に送り込まれた空気を室外に排出する送風機３２ｄが壁２４ｂに設けられるので、
蓄熱材や居室２６の空気を昇温した後の冷却された空気を室外へ排出することができて、建物２１の保温性を高めることができる。
【００７１】
特に、外気取入口３０ｄと、送風機３２ａ，３２ｃ，３２ｄとを併用することで、屋外の空気を、屋外→集熱装置３０→二重天井空間２８→屋外のようにスムーズに送気できて、集熱装置３０の熱を効率的に二重天井空間２８内の空気や二重天井空間２８と居室２５，２６とを隔てる天井壁２７（蓄熱材）に与えられるので、建物２１の昇温性を高めることができる。
【実施例２】
【００７２】
本願発明の実施例２の太陽熱利用蓄熱天井構造について実施例１と異なる部分を中心に説明する。
【００７３】
なお、実施例１と同一乃至均等な部分については同一符号を付して説明する。
（構成）
図３は本願発明の実施例２を説明する概略断面図である。
【００７４】
まず，実施例１の構成と異なる部分を述べると、集熱装置３０は黒色塗装面３０ａと集熱板３０ｂと透明ガラス板３０ｃと空気昇温層３０ｅとで構成されていて、実施例１のような外気取入口３０ｄは設けられていない。
【００７５】
また、壁２４ａには、空気昇温層３０ｅの上端付近から二重天井空間２８に貫通する通気口３１ａが設けられ、この通気口３１ａに送風機３２ａが設けられている。
【００７６】
この送風機３２ａは空気昇温層３０ｅ内の空気を二重天井空間２８内に引き込む。
【００７７】
更に、壁２４ａには、空気昇温層３０ｅの下端付近から二重天井空間２８に貫通する通気口３１ｂが設けられ、この通気口３１ｂに送風機３２ｇが設けられている。
【００７８】
この送風機３２ｇは居室２５の空気を空気昇温層３０ｅ内に引き込む。
【００７９】
そして、壁２９には、天井壁２７寄りの位置に居室２５の空気を居室２６へ送気する送風機３２ｅと、床２４ｄ寄りの位置に居室２６の空気を居室２５へ送気する送風機３２ｆとが設けられている。
【００８０】
他の構成については、実施例１と同様であるので説明を省略する。
（利用方法）
例えば、冬場の気温が低い日の日中において、南側の壁２４ａに設けられた集熱装置３０に日射が当たると空気昇温層３０ｅの空気が昇温される。
【００８１】
図４に示すように、この状態で送風機３２ｇ，３２ａ，３２ｂを稼動すると、送風機３２ｇによって集熱装置３０に居室２５内の空気が引き込まれ、空気昇温層３０ｅ内で昇温されて、送風機３２ａによって二重天井空間２８に昇温された空気が送り込まれる。
【００８２】
このため、二重天井空間２８と接する天井壁２７（蓄熱材）に、この昇温された空気の熱が与えられ蓄熱される。
【００８３】
更に、送風機３２ｂによって、二重天井空間２８に導入された暖かい空気が、再び、居室２５に送り出される。
【００８４】
このように、集熱装置３０と二重天井空間２８と居室２５との間を空気が循環する。
【００８５】
そして、昇温された空気によって、居室２５と、天井壁２７ａと、天井壁２７ａの上側に位置する二重天井空間２８の空気とが暖められる。
【００８６】
従って、日中、昇温された空気が居室２５に流れ込むと共に、蓄熱された天井壁２７ａの放射熱によって居室２５の空気が昇温される。
【００８７】
そして、例えば夕方以降に南側の壁２４ａに日射が当たらなくなった際に、送風機３２ｇ，３２ａ，３２ｂを停止する。
【００８８】
主に天井壁２７ａに蓄熱された熱が室内側に放射され、この熱によって居室２５の空気が昇温され、例えば夜間において、気温の低下による居室２５の室温の低下が抑制される。
【００８９】
また、居室２５の室温が下がった際に、送風機３２ｂを稼動すれば、天井壁２７ａ（蓄熱材）に蓄熱された熱によって昇温された空気が居室２５に導入されて居室２５が暖められる。
【００９０】
更に、図５に示すように、夜間、居室２６を使用する際に、送風機３２ｅ，３２ｆを稼動すれば、日中暖められた居室２５の空気が居室２６に導入されて、昇温された空気が居室２５と居室２６との間を循環して居室２６が暖められる。
（作用効果）
集熱装置３０に居室２５の内部の空気を引き込む送風機３２ｇが設けられ、室内の暖かい空気を昇温するので、昇温性を高めることができる。
【００９１】
そして、壁２９に居室２５から居室２６へ室内の空気を送気する送風機３２ｅと、居室２６から居室２５へ室内の空気を送気する送風機３２ｆとを有しているので、
これらの送風機３２ｅ，３２ｆを稼動することで、居室２５と居室２６との間で昇温された空気を循環させて、居室２５と居室２６との室温差を均一化することができる。
【００９２】
また、送風機３２ａ，３２ｂ，３２ｇを併用すると、居室２５の空気を、居室２５→集熱装置３０→二重天井空間２８→居室２５のように循環させながら昇温するので、居室２５内の空気を効率的に昇温できる。
【００９３】
更に、壁２９に送風機３２ｅと送風機３２ｆとが設けられているので、夜間、居室２６を使用する際に、送風機３２ｅ，３２ｆを稼動すれば、日中暖められた居室２５の空気が居室２６に導入されて、昇温された空気が居室２５と居室２６との間を循環して居室２６が暖められる。
【００９４】
他の作用効果については、実施例１と同様であるので説明を省略する。
【００９５】
以上、図面を参照して、本願発明の最良の実施の形態を詳述してきたが、具体的な構成は、この実施の形態に限らず、本願発明の要旨を逸脱しない程度の設計的変更は、本願発明に含まれる。
【００９６】
なお、本願発明の実施例１及び実施例２では、南側の外壁面に集熱装置を設置したが、日射がよく当たる外壁面であれば、必ずしも南側の外壁面でなくてもよい。
【００９７】
そして、本願発明の実施例１及び実施例２では、冬場の気候を想定しているが、冬場でなくても気温が低い寒冷地であってもよい。
【００９８】
また、本願発明の実施例１及び実施例２では、居室は２部屋としたが、居室の数は必ずしも２部屋である必要はない。１部屋であっても、或いは、３部屋以上あってもよい。
【図面の簡単な説明】
【００９９】
【図１】従来例を説明する建物の概略断面図である。
【図２】本願発明の実施例１の太陽熱利用蓄熱天井構造を説明する建物の概略断面図であって、日中の暖気の流れを矢印で示している。
【図３】本願発明の実施例２の太陽熱利用蓄熱天井構造を説明する建物の概略断面図であって、日中の暖気の流れを矢印で示している。
【図４】本願発明の実施例２の太陽熱利用蓄熱天井構造を説明する建物の概略断面図であって、日中の暖気の流れを矢印で示している。
【図５】本願発明の実施例２の太陽熱利用蓄熱天井構造を説明する建物の概略断面図であって、夜間の暖気の流れを矢印で示している。
【符号の説明】
【０１００】
２１                    建物
２４ａ，２４ｂ          壁（外壁）
２５，２６              居室（部屋）
２７，２７ａ，２７ｂ    天井壁
２８                    二重天井空間
２９                    壁
３０                    集熱装置
３０ａ                  黒色塗装面
３０ｃ                  透明ガラス板（透明部材）
３０ｄ                  外気取入口（空気取入手段）
３０ｅ                  空気昇温層
３１，３１ａ            通気口
３１ｂ                  通気口（空気取入手段としての内気取入口）
３２ａ〜３２ｇ          送風機
【図１】
2007127294.tif 000003
【図２】
2007127294.tif 000004
【図３】
2007127294.tif 000005
【図４】
2007127294.tif 000006
【図５】
2007127294.tif 000007